(57)【要約】【課題】表示画面を大きくした大型の背面投射型表示装置であっても、反射ミラーをリアカバーに取り付ける構成とし、且つ、そのリアカバーに撓み等の変形が生じないようにする。【解決手段】ボトムキャビネット２と、ボトムキャビネット２に搭載されると共に映像光を出射する光学ユニット３と、ボトムキャビネット２に支持されるリアカバー４と、リアカバー４に取り付けられると共に光学ユニット３から出射された映像光を反射する反射ミラー５と、リアカバー６の前面を覆うと共にミラーによって反射された映像光が投射されるスクリーン7を有するフロントカバー６と、備える構成とし、リアカバー４の底面部１６ｂに、そのリアカバー４の強度を高めるリア側補強部材３１を設けた。【選択図】図５
2008076901.tif 000002
【特許請求の範囲】
【請求項１】
載置面に載置されるボトムキャビネットと
前記ボトムキャビネットに搭載されると共に映像光を出射する光学ユニットと、
前記ボトムキャビネットに支持されるリアカバーと、
前記リアカバーに取り付けられると共に前記光学ユニットから出射された前記映像光を反射する反射ミラーと、
前記リアカバーの前面を覆うと共に前記反射ミラーによって反射された前記映像光が投射されるスクリーンを有するフロントカバーと、を備え、
前記リアカバーの底面部に、当該リアカバーの強度を高めるリア側補強部材を設けたことを特徴とする背面投射型表示装置。
【請求項２】
前記リア側補強部材は、前記ボトムキャビネット外形に対応させて形成したことを特徴とする請求項１記載の背面投射型表示装置。
【請求項３】
前記ボトムキャビネットは、前記リアカバーと一体に組み立てられた前記フロントカバーを支持することを特徴とする請求項１記載の背面投射型表示装置。
【請求項４】
前記リアカバーの前記底面部を、前記ボトムキャビネットの左右方向の両側から突出する大きさに形成し、
前記フロントカバーは、前記底面部の前記ボトムキャビネットから突出する部分の剛性を高めるフロント側補強部材を有することを特徴とする請求項３記載の背面投射型表示装置。
【請求項５】
前記リア側補強部材及び前記フロント側補強部材は、導電性を有する鋼材により形成したことを特徴とする請求項６記載の背面投射型表示装置。
【請求項６】
前記リア側補強部材と前記フロント側補強部材を電気的に導通させたことを特徴とする請求項５記載の背面投射型表示装置。
【発明の詳細な説明】
【技術分野】
【０００１】
本発明は、光学ユニットから出射した映像光を反射ミラーにより反射させてスクリーンの背面側に投射し、そのスクリーンに映像を表示させる背面投射型表示装置に関するものである。
【背景技術】
【０００２】
従来の、この種の背面投射型表示装置としては、例えば、特許文献１に記載されているようなものがある。特許文献１には、光学ユニット、光源及びミラー等が装備され、上部の前面側にスクリーンが取り付けられたリアプロジェクションテレビに関するものが記載されている。この特許文献１に記載されたリアプロジェクションテレビは、「少なくともスクリーンとミラーとを装備した上部キャビネットと、少なくとも映像機器、駆動及び制御回路、投射レンズを含む光学ユニット及び光源からなる主要構成部分が装備された下部キャビネットとからなり、前記上部キャビネットの少なくとも一方の側面に開閉できる蓋部材によって施蓋されている開口部を設けた」ことを特徴としている。
【０００３】
このような構成を有する特許文献１に記載のリアプロジェクションテレビによれば、「上部キャビネットの内部が長期使用によって汚れた時に、上部キャビネットを下部キャビネットから取り外すことなく、前記蓋部材を取り外すだけで、前記開口部から所定の清掃具を用いて内部を清掃することができるばかりでなく、光学系の部品の微調整も簡単にできる（段落［００６２］を参照）」等の効果が期待される。
【特許文献１】特開平１０−９７０００号公報
【０００４】
この特許文献１に記載されたリアプロジェクションテレビは、上部キャビネットに台座が設けられており、この台座にミラーを取り付ける構成となっていた。このような上部キャビネット及び台座は、一般的にポリスチレン（ＰＳ）やポリカーボネート（ＰＣ）等の合成樹脂により形成されている。そのため、例えば、表示画面が７０インチ以上の大型のリアプロジェクションテレビでは、表示画面に伴って大型化されたミラーの重量により上部キャビネットが撓んで変形してしまうという問題があった。
【０００５】
この対策として、従来の大型の背面投射型表示装置（リアプロジェクションテレビ）は、強度の大きいフレーム部材を備え、そのフレーム部材にミラー（反射ミラー）を取り付ける構成となっていた。ここで、従来の大型の背面投射型表示装置について、図１４を参照して説明する。
【０００６】
図１４に示すように、従来の大型の背面投射型表示装置は、スクリーン１０２及びミラー１０３が取り付けられるフレーム部材１０１と、このフレーム部材１０１を覆う図示しないフロントカバー及びリアカバーとを備えて構成されていた。そして、フレーム部材１０１は、大型に形成されたスクリーン１０２及び反射ミラー１０３を取り付けても撓んで変形しないように、十分に大きな強度を発揮できる鋼材によって構成されていた。
【０００７】
しかしながら、図１４に示すようなフレーム部材１０１を備えた背面投射型表示装置では、フレーム部材１０１によって装置全体の重量が増加すると共に、部品点数が増加してコストアップを招くという問題があった。
【０００８】
また、フレーム部材１０１を備えた背面投射型表示装置の構成は、それよりも小型でフレーム部材１０１を必要としない背面投射型表示装置の構成と大きく異なってしまため、両者を同じ製造ラインで製造することができなかった。その結果、フレーム部材１０１を必要とする大型のものとそれよりも小型のものを含めた背面投射型表示装置を全体として効率よく製造することが困難であるという問題があった。
【発明の開示】
【発明が解決しようとする課題】
【０００９】
解決しようとする問題点は、従来の背面投射型表示装置では、大型のものにすると反射ミラーを取り付けるフレーム部材が必要になり、装置全体の重量が嵩むと共に部品点数が増加してコストアップを招く、という点である。また、大型でフレーム部材を必要とするものと、それよりも小型でフレーム部材を必要としないものがあるため、その構成の違いから製造ラインを分ける必要があり、製造効率を向上させることが難しい、という点である。
【００１０】
本発明の目的は、上述の問題点を考慮し、表示画面を大きくした大型のものであっても、フレーム部材を用いることなく、ミラーをリアカバーに取り付ける構成とし、且つ、そのリアカバーに撓み等の変形が生じない背面投射型表示装置を提供することにある。
【課題を解決するための手段】
【００１１】
上記課題を解決し、本発明の目的を達成するため、本発明の背面投射型表示装置は、載置面に載置されるボトムキャビネットと、ボトムキャビネットに搭載されると共に映像光を出射する光学ユニットと、ボトムキャビネットに支持されるリアカバーと、リアカバーに取り付けられると共に光学ユニットから出射された映像光を反射するミラーと、リアカバーの前面を覆うと共にミラーによって反射された映像光が投射されるスクリーンを有するフロントカバーと、を備えている。そして、リアカバーの底面に、そのリアカバーの強度を高めるリア側補強部材を設けたことを特徴としている。
【発明の効果】
【００１２】
本発明の背面投射型表示装置によれば、表示画面及び装置全体の大型化に伴ってリアカバーに取り付けるミラーが大きいものになっても、リア側補強部材によってリアカバーに撓み等の変形が生じることを防止することができる。また、本発明の背面投射型表示装置は、これよりも小型であってミラーの重量によりリアカバーに撓み等の変形が生じない背面投射型表示装置と基本的な構成を同じにすることができる。そのため、両者を同じ製造ラインで製造することができ、製造効率を向上させることができる。
【発明を実施するための最良の形態】
【００１３】
以下、本発明の背面投射型表示装置を実施するための最良の形態について、図面を参照して説明するが、本発明は以下の形態に限定されるものではない。
【００１４】
図１〜図１３は、本発明の実施の形態の例を説明するものである。即ち、図１〜図５は、本発明の背面投射型表示装置の第１の実施の形態を示すもので、図１は正面側から見た斜視図、図２は正面図、図３は平面図、図４は側面図、図５は分解斜視図である。図６はフロントカバー及びスピーカユニットをリアカバー側から見た斜視図、図７はフロントカバーに着脱可能に取り付けられるカバープレートの斜視図である。図１０はスピーカユニットを取り付けた状態の背面投射型表示装置を表す説明図、図１1はカバープレートを取り付けた状態の背面投射型表示装置を表す説明図である。図１２はリア側補強部材とフロント側補強部材の係合状態を表す斜視図、図１３は同じく側面図である。
【００１５】
図１〜図５は、本発明の背面投射型表示装置の第１の実施の形態を示すリアプロジェクションテレビ１である。このリアプロジェクションテレビ１は、いわゆるテレビジョン受像機であり、ＣＲＴやＬＣＤ素子等の画像表示デバイスを有する光学ユニットから映像光を出射し、その映像光をミラーで反射してスクリーンに拡大投射することで映像（画像）を表示するものである。
【００１６】
図１〜図５に示すように、リアプロジェクションテレビ１は、載置面に載置されるボトムキャビネット２と、このボトムキャビネット２に搭載される光学ユニット３と、ボトムキャビネット２に支持されるリアカバー４と、このリアカバー４に取り付けられる反射ミラー５と、リアカバー４の前面側を覆うと共にスクリーン７を有するフロントカバー６とを備えて構成されている。
【００１７】
図５等に示すように、ボトムキャビネット２は、上方から見た平面形状が略台形に形成された中空の筐体からなっている。このボトムキャビネット２の上面の略中央部には、開口部１１が設けられており、この開口部１１には、光学ユニット３の後述する投射レンズ１３が貫通されている。ボトムキャビネット２の材質としては、ポリスチレン（ＰＳ）やポリカーボネート（ＰＣ）等の合成樹脂を挙げることができるが、例えば、アルミニウム合金等の金属を用いることもできる。
【００１８】
ボトムキャビネット２の内部には、投射レンズ１３を含む光学ユニット３と、図には表れない電源回路や駆動回路を有する駆動制御装置と、その駆動制御装置及び光学ユニット３を冷却するファン等が設けられている。光学ユニット３は、投射レンズ１３の他に、光源、照明光学系、色分離光学系、リレー光学系、画像表示デバイスである３つの液晶パネル、クロスダイクロイックプリズム等を有している。
【００１９】
光学ユニット３の光源は、白色光を出射する。この光源としては、例えば、高輝度放電ランプを挙げることができる。光源から出射された白色光は、照明光学系によって色分離光学系及びリレー光学系に導かれ、それら色分離光学系及びリレー光学系で赤色（Ｒ）、緑色（Ｇ）、青色（Ｂ）の３色の光束に分離される。画像表示デバイスは、それぞれ赤色（Ｒ）、緑色（Ｇ）、青色（Ｂ）の画像情報を表示する３つの液晶パネルからなっている。これら３つの液晶パネルには、分離された３色の光束がそれぞれ通過され、これにより、３色の光束が画像情報に基づいてそれぞれ変調される。そして、変調された３つの光束は、クロスダイクロイックプリズムによって１つの映像光として合成され、投射レンズ１３を介して出射される。
【００２０】
更に、ボトムキャビネット２の内部には、図１０及び図１１に示すように、背面に沿って上下方向に延在される背面支柱１４ａと、左右の側面に沿って上下方向に延在される複数の側面支柱１４ｂが設けられている。これら背面支柱１４ａ及び複数の側面支柱１４ｂは、十分に大きな強度を発揮できる金属材料、例えば、鋼材等から形成されており、一端がボトムキャビネット２の底面部に固定され、他端がボトムキャビネット２の上面部に固定されている。これらの支柱１４ａ，１４ｂにより、ボトムキャビネット２は、反射ミラー５が取り付けられたリアカバー４を支持することが可能な強度になっている。
【００２１】
リアカバー４は、ポリスチレン（ＰＳ）やポリカーボネート（ＰＣ）等の合成樹脂により形成されていて、図５に示すように、前面に開口部を有する筐体をなしている。即ち、リアカバー４は、上面を形成する上面部１６ａと、底面を形成する底面部１６ｂと、背面を形成する背面部１６ｃと、正面から見て左側面を形成する左側面部１６ｄと、右側面を形成する右側面部１６ｅから構成されている。
【００２２】
リアカバー４の背面部１６ｃは、対向する開口部よりも小さい横長の長方形に形成されている。そのため、上面部１６ａ、底面部１６ｂ及び左右の側面部１６ｄ，１６ｅは、それぞれ略台形に形成されている。また、背面部１６ｃの内面には、複数のミラー係合片１８が設けられており、この複数のミラー係合片１８に反射ミラー５の下辺部が係合される。
【００２３】
上面部１６ａ、背面部１６ｃ及び左右の側面部１６ｄ，１６ｅの内面には、強度を増加させるための複数の補強リブ１７が設けられている。これら複数の補強リブ１７により、上面部１６ａ、背面部１６ｃ及び左右の側面部１６ｄ，１６ｅは、反射ミラー５の重量や輸送時の振動等の影響を受けても、撓み等の変形が生じない程度の強度に設定されている。
【００２４】
リアカバー４の底面部１６ｂは、ボトムキャビネット２の上面よりも大きく設定されていて、背面部１６ｃ側及び左右の側面部１６ｄ，１６ｅ側がボトムキャビネット２の外側に突出されている。この底面部１６ｂの略中央部には、光学ユニット３の投射レンズ１３を臨ませる貫通穴２１が設けられている。この貫通穴２１には、投射レンズ１３から反射ミラー５に向けて出射された映像光が貫通される。
【００２５】
また、底面部１６ｂの開口部側の一辺には、ボトムキャビネット２の外側に突出される両端部に連続して下方に展開される一対の当接面２２，２２が設けられている。これら一対の当接面２２，２２には、フロントカバー６の後述する一対のフロント側補強部材４５，４５が当接される。更に、底面部１６ｂの開口部側の一辺には、フロントカバー６の後述する３つの脚部５６ａ，５６ｂ，５６ｃとの干渉を避けるための３つの切欠き２３ａ，２３ｂ，２３ｃが設けられている。
【００２６】
上述したような底面部１６ｂの内面には、その底面部１６ｂの強度を高めるリア側補強部材３１が取り付けられている。このリア側補強部材３１は、ボトムキャビネット２の形状に対応した形状とされていて、底面部１６ｂの背面部１６ｃに連続する辺に沿って延在されるベース補強３２と、底面部１６ｂの左側面部１６ｄ及び右側面部１６ｅに連続される２つの辺にそれぞれ略平行に延在される一対のアーム補強３３，３３とを備えて構成されている。このリア補強部材３１の材質としては、十分に大きな強度を発揮できる金属材料、例えば、鉄やステンレス鋼等の鋼材を挙げることができる。
【００２７】
リア側補強部材３１のベース補強３２は、図１０に示すように、リアカバー４がボトムキャビネット２に支持された状態において、ボトムキャビネット２の背面支柱１４ａに対応する位置に配置されている。一対のアーム補強３３，３３は、リアカバー４がボトムキャビネット２に支持された状態において、ボトムキャビネット２の複数の側面支柱１４ｂに対応する位置にそれぞれ配置されている。
【００２８】
これら一対のアーム補強３３，３３は、それぞれ一端がベース補強３２にビス止めされており、これにより、ベース補強３２と一対のアーム補強３３，３３が一体に構成されている。また、一対のアーム補強３３，３３の他端は、フロントカバー６の一対のフロント側補強部材４５，４５に係合される係合部３３ａ，３３ａとされている。これら係合部３３ａ，３３ａは、それぞれリアカバー４の開口部から外側に突出されている。
【００２９】
一対のアーム補強３３，３３の各係合部３３ａ，３３ａには、一対のアーム補強３３，３３と一対のフロント側補強部材４５，４５とを確実に導通させるための導通部材３５，３５がそれぞれ設けられている。これら導通部材３５，３５は、ステンレスやアルミ等の導電性の高い金属からなり、弾性変形可能に形成されている。図１３に示すように、導通部材３５は、係合部３３ａがフロント側補強部材４５に係合した際に、弾性変形してフロント側補強部材４５に面接触される。
【００３０】
アーム補強３３とフロント側補強部材４５を導通させる理由は、他の電子機器の動作に影響を及ぼす電磁妨害（Electro Magnetic Interference）を防止するためである。即ち、金属により形成されたリア側補強部材３１の長さが、電気回路等を有する駆動制御装置の発する電磁波の周波数の倍数となる場合、その電磁波の周波数がリア側補強部材３１によって増幅されてしまう。これにより、駆動制御装置の発する電磁波が、他の電子機器の動作に影響を及ぼす妨害電磁波となる可能性がある。そのため、本実施の形態では、リア側補強部材３１とフロント側補強部材４５を導通させることにより、金属から形成される部材の長さが駆動制御装置の発する電磁波の周波数の倍数にならないようにして、妨害電磁波の発生を防止している。
【００３１】
図５に示すように、反射ミラー５は、略台形の板状に形成されていて、その大きさは、リアカバー４の上面部１６ａ及び背面部１６ｃの大部分を覆い隠す大きさに設定されている。この反射ミラー５は、下辺部を背面部１６ｃの複数のミラー係合片１８に係合させた状態で、ミラーホルダ２６によってリアカバー４に取り付けられている。
【００３２】
ミラーホルダ２６は、反射ミラー５の左辺部を保持する左側ミラーホルダ２６ａと、右辺部を保持する図に表れない右側ミラーホルダと、上辺部を保持する図に表れない上側ミラーホルダから構成されている。左側ミラーホルダ２６ａは、リアカバー４の左側面部１６ｄにビス止めされ、同様に、右側ミラーホルダ及び上側ミラーホルダは、それぞれ右側面部１６ｅ及び上面版１６ａにビス止めされる。
【００３３】
フロントカバー６は、図５及び図６に示すように、ベース枠４１と、このベース枠４１の前面側に取り付けられる化粧枠４２と、ベース枠４１の背面側に配置されるスクリーン７と、このスクリーン７をベース枠４１に固定するスクリーン枠４３と、ベース枠４１の両側部に取り付けられる一対の化粧板４４，４４と、スクリーン枠４３に取り付けられる一対のフロント側補強部材４５，４５と、これらフロント補強部材４５，４５とスクリーン枠４３に一体に取り付けられる支持ブラケット４６と等を備えて構成されている。
【００３４】
フロントカバー６のベース枠４１は、ポリスチレン（ＰＳ）やポリカーボネート（ＰＣ）等の合成樹脂により形成されていて、リアカバー４の開口部に見合った大きさに設定されている。化粧枠４２は、ベース枠４１の前面から露出されるスクリーン７の外周を囲うように配置されていて、ベース枠４１にビス止めされている。この化粧枠４２は、主にデザイン性の観点から設けられたものであり、ベース枠４１のとは異なる色に設定することで、スクリーン７を際立たせる役割を有している。
【００３５】
スクリーン７は、反射ミラー５側に配置されるフレネルレンズと、このフレネルレンズの反射ミラー５と反対側に配置されるレンチキュラーレンズとの組合せにより構成されている。スクリーン枠４３は、上下方向に対向された互いに平行をなす上部片４３ａ及び下部片４３ｂと、左右方向に対向された互いに平行をなす左右の側部片４３ｃ，４３ｄとを有している。このスクリーン枠４３とベース枠４１の間にスクリーン７を介在させ、スクリーン枠４３をベース枠４１にビス止めすることにより、スクリーン７がベース枠４１に固定されている。また、一対の化粧版４４，４４は、透明な樹脂によって形成されており、ベース枠４１にビス止めされている。
【００３６】
一対のフロント側補強部材４５，４５は、適度な強度を有する金属材料、例えば、鉄やステンレス鋼等の鋼材によって形成されており、スクリーン枠４３の下部片４３ｂの両端にそれぞれビス止めされている。これら一対のフロント側補強部材４５，４５は、フロントカバー６をリアカバー４に取り付けた状態で、リアカバー４の一対の当接面２２，２２に当接されると共にリア側補強部材３１の一対のアーム補強３３，３３が係合される。
【００３７】
図１３及び図１４に示すように、フロント側補強部材４５には、リア側補強部材３１の係合部３３ａが係合される係合溝５１と、導通部材３５の先端が係止される係止爪５２が設けられている。この係止爪５２によって導通部材３５の先端を係止することにより、導通部材３５は、フロント側補強部材４５に面接触するように弾性変形される。
【００３８】
支持ブラケット４６は、一対のフロント側補強部材４５，４５に取り付けられる本体部５４と、この本体部５４とスクリーン枠４３の下部片４３ｂとを連結する連結部５５と、本体部５４に取り付けられる３つの脚部５６ａ，５６ｂ，５６ｃを備えて構成されている。これら本体部５４、連結部５５及び３つの脚部５６ａ，５６ｂ，５６ｃは、適度な強度を有する金属材料、例えば、鉄やステンレス鋼等の鋼材によって形成されている。
【００３９】
支持ブラケット４６の３つの脚部５６ａ，５６ｂ，５６ｃは、それぞれリアカバー４の３つの切欠き２３ａ，２３ｂ，２３ｃを挿通して、ボトムキャビネット２の前面にビス止めされる。これにより、フロントカバー６の重量は、支持ブラケット４６を介してボトムキャビネット２に付与され、その結果、リアカバー４に対する重量の負担を軽くすることができる。
【００４０】
このような構成を有するフロントカバー６の両側部には、一対のスピーカユニット６１，６１が着脱可能に装着される。これらスピーカユニット６１，６１をフロントカバー６に着脱可能に構成することにより、リアプロジェクションテレビ等の従来の表示装置が有する問題点を解決することができる。ここで、従来の表示装置が有する問題点について説明する。
【００４１】
近年、リアプロジェクションテレビ等の表示装置は、多重音声を実現する外部装置としてのスピーカ装置に有線或いは無線によって接続し、多重音声による臨場感あふれる映像を楽しむことが好まれている。このように、外部装置であるスピーカ装置を使用して音声を聴く場合、表示装置に設けられたスピーカは使用されないため不要となる。
【００４２】
しかしながら、従来の表示装置においては、スピーカが装置本体と一体に構成されていた。そのため、外部装置であるスピーカ装置を使用して音声を聴く場合であっても、表示装置の設置スペースは、使用されないスピーカを含めた広さが必要になり、余分なスペースを占領するという問題があった。また、外部装置であるスピーカ装置を含めた設置状態において、表示装置に設けた使用されないスピーカが見えると、見栄えが良くないという問題があった。
【００４３】
図６に示すように、スピーカユニット６１は、縦長とされた偏平の筐体を有し、その内部にスピーカ装置が設けられたスピーカ本体６２と、このスピーカ本体６２の上面部に連続する上係合凸部６３と、スピーカ本体６２の下面部に連続する下係合凸部６４を備えて構成されている。
【００４４】
スピーカ本体６２のフロントカバー６に対向される面には、接続端子６５が設けられている。各接続端子６５，６５は、スピーカユニット６１，６１をフロントカバー６に装着した際に、スクリーン枠４３の左右の側部片４３ｃ，４３ｄにそれぞれ取り付けられたコネクタ５９，５９に着脱可能に接続される。なお、接続端子６５が接続されるコネクタ５９は、図示しない配線部材によって駆動制御装置に電気的に接続される。
【００４５】
スピーカユニット６１の上係合凸部６３は、ベース枠４１の上部に設けられた上係合凹部４１ａに着脱可能に係合される。また、スピーカユニット６１の下係合凸部６４は、ベース枠４１の下部に設けられた下係合凹部４１ｂに着脱可能に係合される。これら上係合凸部６３及び下係合凸部６４により、スクリーンユニット６１は、フロントカバー６に着脱可能に装着される。
【００４６】
図７は、リアプロジェクションテレビ１を外部装置であるスピーカ装置に接続して使用する場合に、スピーカユニット６１の代わりにベース枠４１に取り付けるカバープレート７１を示すものである。このカバープレート７１は、プレート本体７２と、このプレート本体７２の上面部に連続する上係合凸部７３と、プレート本体７２の下面部に連続する下係合凸部７４を備えて構成されている。カバープレート７１の上係合凸部７３及び下係合凸部７４は、スピーカユニット６１の上係合凸部６３及び下係合凸部６４と同一の形状とされていて、ベース枠４１の上係合凹部４１ａ及び下係合凹部４１ｂにそれぞれ着脱可能に係合される。
【００４７】
上述したようなスピーカユニット６１及びカバープレート７１は、ボトムキャビネット２及びリアカバー４に取り付けた状態のフロントカバー６に対して着脱可能とされている。即ち、リアプロジェクションテレビ１は、設置された状態でスピーカユニット６１とカバープレート７１の交換を行うことができ、図８に示すスピーカユニット６１を取り付けた形態と、図９に示すカバープレート７１を取り付けた形態とを選択的に取ることができる。
【００４８】
その結果、リアプロジェクションテレビ１を外部装置であるスピーカ装置に接続して使用する場合には、図９に示すように、フロントカバー６にカバープレート７１を取り付けてリアプロジェクションテレビ１が占有する設置スペースを削減することができる。しかも、リアプロジェクションテレビ１から不要なスピーカユニット６１を削除して外観をシンプルにすることができ、外部装置であるスピーカ装置を含めた設置状態の見栄えを良くすることができる。
【００４９】
このような構成を有するリアプロジェクションテレビ１は、例えば、次のようにして組み立てることができる。まず、リア側補強部材３１を、リアカバー４の底面部１６ｂに取り付ける。これにより、底面部１６ｂの強度を増加することができ、次の工程でリアカバー４に取り付ける反射ミラー５の重量によって底面部１６ｂに撓み等の変形が生じることを防止することができる。
【００５０】
次に、反射ミラー５を、リア側補強部材３１を取り付けたリアカバー４に取り付ける。即ち、反射ミラー５の下辺部をリアカバー４の複数のミラー係合片１８に係合させると共に、ミラーホルダ２６によって反射ミラー５の上辺部、左辺部及び右辺部をリアカバー４の上面部１６ａ及び左右の側面部１６ｄ，１６ｅに取り付ける。これにより、リアカバー４、リア側補強部材３１及び反射ミラー５等から構成されるリアカバー組立体８１（図５を参照）が組み立てられる。
【００５１】
次に、リアカバー組立体８１を、光学ユニット３や駆動制御装置を搭載したボトムキャビネット２の上面に取り付ける。これにより、底面部１６ｂのボトムキャビネット２の上面と接する部分に、反射ミラー５の重量及びリアカバー４の重量、即ちリアカバー組立体８１の自重が加わる。しかしながら、底面部１６ｂは、ボトムキャビネット２の形状に対応した形状のリア側補強部材３１によって強度が増加されているため、底面部１６ｂのボトムキャビネット２の上面と接する部分に撓み等の変形が生じる心配がない。
【００５２】
また、ボトムキャビネット２には、リアカバー組立体８１のリア側補強部材３１に対応した位置に背面補強１４ａ及び複数の側面補強１４ｂが設けられている。そのため、リアカバー組立体８１の重量によってボトムキャビネット２に撓み等の変形が生じる心配がない。
【００５３】
次に、フロントカバー６をリアカバー４にビス止めし、リアカバー４の開口部をフロントカバー６で覆う。このとき、図１２及び図１３に示すように、リアカバー４に取り付けたリア側補強部材３１の係合部３３ａ，３３ａが、フロントカバー６に設けた一対のフロント側補強部材４５，４５の係合溝５１，５１にそれぞれ係合される。これにより、リア側補強部材３１と一対のフロント側補強部材４５，４５が一体的に組み立てられる。
【００５４】
これと同時に、係合部３３ａ，３３ａに設けた導通部材３５，３５が、一対のフロント側補強部材４５，４５に接触され、リア側補強部材３１の一対のアーム補強３３，３３と一対のフロント側補強部材４５，４５がそれぞれ導通される。このとき、導通部材３５は、アーム補強３３の係止爪５２により係止されて弾性変形するため、フロント側補強部材４５に面接触される。その結果、導通部材３５は、一対のアーム補強３３と一対のフロント側補強部材４５を確実に導通させることができる。
【００５５】
更に、底面部１６ｂの一対の当接面２２，２２が、一対のフロント側補強部材４５，４５に当接される。これにより、底面部１６ｂにおけるボトムキャビネット２の左右方向の外側に突出される突出部分の強度を増加することができる。その結果、ボトムキャビネット２の左右方向の外側に突出される底面部１６ｂの突出部分が、リアカバー組立体８１の重量によって撓んでしまうことを防止することができる。
【００５６】
次に、フロントカバー６の支持ブラケット４６に設けた３つの脚部５６ａ，５６ｂ，５６ｃを、ボトムキャビネット２の前面にビス止めする。これにより、リアプロジェクションテレビ１が組み立てられる。
【００５７】
このようにして組み立てられたリアプロジェクションテレビ１のフロントカバー６は、３つの脚部５６ａ，５６ｂ，５６ｃを介してボトムキャビネット２に支持される。これにより、リアカバー４の底面部１６ｂに加わる重量をリアカバー組立体８１の重量のみにすることができ、底面部１６ｂの負担を軽減することができる。
【００５８】
以上説明したように、本発明の背面投射型表示装置によれば、リアカバーの強度を増加させるリア側補強部材を設けたため、リアカバーに取り付ける大型の反射ミラーの重量によってリアカバーが撓んで変形してしまうことを防止することができる。その結果、光学ユニットの投射レンズ、反射ミラー及びスクリーンの位置関係にズレが生じる心配がなく、安定した映像を表示することができる。
【００５９】
しかも、本発明の背面投射型表示装置は、それよりも小型であって反射ミラーの重量によりリアカバーに撓み等の変形が生じない背面投射型表示装置と構成を略同じにすることができる。これにより、両者を同じ製造ラインで製造して製造効率を向上させることができる。
【００６０】
また、本発明の背面投射型表示装置は、ボトムキャビネットがリアカバーの底面部よりも小さい場合に、ボトムキャビネットの外側に突出した底面部の強度を増加させるフロント側補強部材を設けた。そのため、ボトムキャビネットの外側に突出した底面部が撓んで変形してしまうことを防止することができる。
【００６１】
更に、リアカバーの前面を覆うフロントカバーをボトムキャビネットで支持する構成にしたため、フロントカバーの重量がリアカバーに加わらないようにすることができる。これにより、リアカバーに加わる重量を、リアカバーの自重とそれに取り付けられる反射ミラー等の部品の重量を足した重量のみにすることができ、リアカバーの変形防止に貢献することができる。
【００６２】
本発明は、前述しかつ図面に示した実施の形態に限定されるものではなく、その要旨を逸脱しない範囲内で種々の変形実施が可能である。例えば、前記実施の形態においては、背面投射型表示装置としてリアプロジェクションテレビを適用した例について説明したが、パーソナルコンピュータや遊技機のディスプレイ装置、その他の背面投射型表示装置にも適用できるものである。
【図面の簡単な説明】
【００６３】
【図１】本発明の背面投射型表示装置の第１の実施の形態に係るリアプロジェクションテレビを、正面側から見た斜視図である。
【図２】本発明の背面投射型表示装置の第１の実施の形態に係るリアプロジェクションテレビの正面図である。
【図３】本発明の背面投射型表示装置の第１の実施の形態に係るリアプロジェクションテレビの平面図である。
【図４】本発明の背面投射型表示装置の第１の実施の形態に係るリアプロジェクションテレビの側面図である。
【図５】本発明の背面投射型表示装置の第１の実施の形態に係るリアプロジェクションテレビの分解斜視図である。
【図６】本発明の背面投射型表示装置の第１の実施の形態に係るリアプロジェクションテレビのフロントカバーと、このフロントカバーに着脱可能に取り付けられるスピーカユニットをリアカバー側から見た斜視図である。
【図７】図６に示すフロントカバーに着脱可能に取り付けられるカバープレートの斜視図である。
【図８】図６に示すフロントカバーにスピーカユニットを取り付けた状態のリアプロジェクションテレビを説明する説明図である。
【図９】図６に示すフロントカバーにカバープレートを取り付けた状態のリアプロジェクションテレビを説明する説明図である。
【図１０】図１に示すリアプロジェクションテレビのリア側補強部材及びフロント側補強部材を説明する第１の説明図である。
【図１１】図１に示すリアプロジェクションテレビのリア側補強部材及びフロント側補強部材を説明する第２の説明図である。
【図１２】図１に示すリアプロジェクションテレビのリア側補強部材とフロント側補強部材の係合状態を表した斜視図である。
【図１３】図１に示すリアプロジェクションテレビのリア側補強部材とフロント側補強部材の係合状態を表した側面図である。
【図１４】従来の背面投射型表示装置を説明する説明図である。
【符号の説明】
【００６４】
１…リアプロジェクションテレビ（背面投射型表示装置）、  ２…ボトムキャビネット、  ３…光学ユニット、  ４…リアカバー、  ５…反射ミラー、  ６…フロントカバー、  ７…スクリーン、  １３…投射レンズ、  １４ａ…背面支柱、  １４ｂ…側面支柱、  １６ａ…上面部、  １６ｂ…底面部、  １６ｃ…背面部、  １６ｄ…左側面部、  １６ｅ…右側面部、  １７…補強リブ、  １８…ミラー係合片、  ２２…当接面、  ２６…ミラーホルダ、  ３１…リア側補強部材、  ３２…ベース補強、  ３３…アーム補強、  ３３ａ…係合部、  ３５…導通部材、  ４１…ベース枠、  ４２…化粧枠、  ４３…スクリーン枠、  ４４…化粧板、  ４５…フロント側補強部材、  ４６…支持ブラケット、  ５１…係合溝、  ５６ａ，５６ｂ，５６ｃ…脚部、  ６１…スピーカユニット、  ７１…カバープレート
【図１】
2008076901.tif 000003
【図２】
2008076901.tif 000004
【図３】
2008076901.tif 000005
【図４】
2008076901.tif 000006
【図５】
2008076901.tif 000007
【図６】
2008076901.tif 000008
【図７】
2008076901.tif 000009
【図８】
2008076901.tif 000010
【図９】
2008076901.tif 000011
【図１０】
2008076901.tif 000012
【図１１】
2008076901.tif 000013
【図１２】
2008076901.tif 000014
【図１３】
2008076901.tif 000015
【図１４】
2008076901.tif 000016